【手続補正書】
【提出日】平成16年4月27日(2004.4.27)
【手続補正１】
【補正対象書類名】明細書
【補正対象項目名】特許請求の範囲
【補正方法】変更
【補正の内容】
【特許請求の範囲】
【請求項１】
閲覧可能な閲覧情報を配信するシステムにおいて、
前記閲覧情報の出力レイアウトに関するレイアウト情報を複数記憶したレイアウト情報記憶手段を備え、
ユーザ情報及び前記レイアウト情報の選択を入力し、入力したユーザ情報を前記選択したレイアウト情報と対応付けて前記レイアウト情報記憶手段に登録し、前記レイアウト情報記憶手段のレイアウト情報に基づいて、前記閲覧情報の出力レイアウトを決定して前記閲覧情報を作成するようになっていることを特徴とする閲覧情報作成システム。
【請求項２】
請求項１において、
前記ユーザ情報は、前記ユーザが閲覧を希望する閲覧情報に関する閲覧希望情報を含み、
前記閲覧情報を複数記憶した閲覧情報記憶手段を備え、
前記閲覧希望情報及びそれに対応するレイアウト情報を前記レイアウト情報記憶手段から読み出し、読み出した閲覧希望情報に基づいて、前記閲覧情報記憶手段のなかから前記閲覧情報を選択し、前記読み出したレイアウト情報に基づいて、前記選択した閲覧情報について出力レイアウトを決定して前記閲覧情報を作成するようになっていることを特徴とする閲覧情報作成システム。
【請求項３】
ディジタルコンテンツを配信するシステムにおいて、
前記ディジタルコンテンツの出力レイアウトに関するレイアウト情報を複数記憶したレイアウト情報記憶手段と、前記ディジタルコンテンツの配信先アドレスを含むユーザ情報及び前記レイアウト情報の選択を入力する入力手段と、前記入力手段で入力したユーザ情報を前記入力手段で選択したレイアウト情報と対応付けて前記レイアウト情報記憶手段に登録する登録手段と、前記レイアウト情報記憶手段のレイアウト情報に基づいて前記ディジタルコンテンツの出力レイアウトを決定して前記ディジタルコンテンツを作成するコンテンツ作成手段と、前記コンテンツ作成手段で作成に用いたレイアウト情報に対応する配信先アドレスに基づいて前記コンテンツ作成手段で作成したディジタルコンテンツを配信するコンテンツ配信手段とを備えることを特徴とするディジタルコンテンツ配信システム。
【請求項４】
請求項３において、
前記ユーザ情報は、前記ユーザが配信を希望するディジタルコンテンツに関するコンテンツ情報を含み、
前記ディジタルコンテンツを複数記憶したコンテンツ記憶手段を備え、
前記コンテンツ作成手段は、前記コンテンツ情報及びそれに対応するレイアウト情報を前記レイアウト情報記憶手段から読み出し、読み出したコンテンツ情報に基づいて、前記コンテンツ記憶手段のなかから前記ディジタルコンテンツを選択し、前記読み出したレイアウト情報に基づいて、前記選択したディジタルコンテンツについて出力レイアウトを決定して前記ディジタルコンテンツを作成するようになっていることを特徴とするディジタルコンテンツ配信システム。
【請求項５】
請求項３及び４のいずれかにおいて、
前記ユーザ情報は、前記ユーザが配信を希望する時間帯に関するスケジュール情報を含み、
前記コンテンツ配信手段は、前記コンテンツ作成手段で作成に用いたレイアウト情報に対応するスケジュール情報に基づいて、前記コンテンツ作成手段で作成したディジタルコンテンツを配信するようになっていることを特徴とするディジタルコンテンツ配信システム。
【請求項６】
閲覧可能な閲覧情報を配信するコンテンツ配信端末において、
前記閲覧情報の出力レイアウトに関するレイアウト情報を複数記憶したレイアウト情報記憶手段を備え、
ユーザ情報及び前記レイアウト情報の選択を入力し、入力したユーザ情報を前記選択したレイアウト情報と対応付けて前記レイアウト情報記憶手段に登録し、前記レイアウト情報記憶手段のレイアウト情報に基づいて、前記閲覧情報の出力レイアウトを決定して前記閲覧情報を作成するようになっていることを特徴とするコンテンツ配信端末。
【請求項７】
請求項６において、
前記ユーザ情報は、前記ユーザが閲覧を希望する閲覧情報に関する閲覧希望情報を含み、
前記閲覧情報を複数記憶した閲覧情報記憶手段を備え、
前記閲覧希望情報及びそれに対応するレイアウト情報を前記レイアウト情報記憶手段から読み出し、読み出した閲覧希望情報に基づいて、前記閲覧情報記憶手段のなかから前記閲覧情報を選択し、前記読み出したレイアウト情報に基づいて、前記選択した閲覧情報について出力レイアウトを決定して前記閲覧情報を作成するようになっていることを特徴とするコンテンツ配信端末。
【請求項８】
ディジタルコンテンツを配信するコンテンツ配信端末において、
前記ディジタルコンテンツの出力レイアウトに関するレイアウト情報を複数記憶したレイアウト情報記憶手段と、前記ディジタルコンテンツの配信先アドレスを含むユーザ情報及び前記レイアウト情報の選択を入力する入力手段と、前記入力手段で入力したユーザ情報を前記入力手段で選択したレイアウト情報と対応付けて前記レイアウト情報記憶手段に登録する登録手段と、前記レイアウト情報記憶手段のレイアウト情報に基づいて前記ディジタルコンテンツの出力レイアウトを決定して前記ディジタルコンテンツを作成するコンテンツ作成手段と、前記コンテンツ作成手段で作成に用いたレイアウト情報に対応する配信先アドレスに基づいて前記コンテンツ作成手段で作成したディジタルコンテンツを配信するコンテンツ配信手段とを備えることを特徴とするコンテンツ配信端末。
【請求項９】
請求項８において、
前記ユーザ情報は、前記ユーザが配信を希望するディジタルコンテンツに関するコンテンツ情報を含み、
前記ディジタルコンテンツを複数記憶したコンテンツ記憶手段を備え、
前記コンテンツ作成手段は、前記コンテンツ情報及びそれに対応するレイアウト情報を前記レイアウト情報記憶手段から読み出し、読み出したコンテンツ情報に基づいて、前記コンテンツ記憶手段のなかから前記ディジタルコンテンツを選択し、前記読み出したレイアウト情報に基づいて、前記選択したディジタルコンテンツについて出力レイアウトを決定して前記ディジタルコンテンツを作成するようになっていることを特徴とするコンテンツ配信端末。
【請求項１０】
請求項８及び９のいずれかにおいて、
前記ユーザ情報は、前記ユーザが配信を希望する時間帯に関するスケジュール情報を含み、
前記コンテンツ配信手段は、前記コンテンツ作成手段で作成に用いたレイアウト情報に対応するスケジュール情報に基づいて、前記コンテンツ作成手段で作成したディジタルコンテンツを配信するようになっていることを特徴とするコンテンツ配信端末。
【手続補正２】
【補正対象書類名】明細書
【補正対象項目名】００１５
【補正方法】変更
【補正の内容】
【００１５】
また、出力レイアウトには、閲覧情報を画面上に表示する場合の表示レイアウト、または閲覧情報を紙面上に印刷する場合の印刷レイアウトが含まれる。以下、請求項６記載のコンテンツ配信端末において同じである。
【手続補正３】
【補正対象書類名】明細書
【補正対象項目名】００１６
【補正方法】変更
【補正の内容】
【００１６】
また、作成した閲覧情報は、ユーザに配信するようにしてもよいし、ユーザがクライアント端末からアクセスして取得できるように記憶手段に格納するようにしてもよい。以下、請求項６記載のコンテンツ配信端末において同じである。
【手続補正４】
【補正対象書類名】明細書
【補正対象項目名】００２３
【補正方法】変更
【補正の内容】
【００２３】
ここで、出力レイアウトには、ディジタルコンテンツを画面上に表示する場合の表示レイアウト、またはディジタルコンテンツを紙面上に印刷する場合の印刷レイアウトが含まれる。以下、請求項８記載のコンテンツ配信端末において同じである。
【手続補正５】
【補正対象書類名】明細書
【補正対象項目名】００２９
【補正方法】変更
【補正の内容】
【００２９】
これにより、ユーザの希望に比較的沿った時間帯にディジタルコンテンツが配信されるので、従来に比して、ユーザにとって満足度の高い配信サービスを提供することができる。
一方、上記目的を達成するために、本発明に係る請求項６記載のコンテンツ配信端末は、閲覧可能な閲覧情報を配信するコンテンツ配信端末において、前記閲覧情報の出力レイアウトに関するレイアウト情報を複数記憶したレイアウト情報記憶手段を備え、ユーザ情報および前記レイアウト情報の選択を入力し、入力したユーザ情報を前記選択したレイアウト情報と対応付けて前記レイアウト情報記憶手段に登録し、前記レイアウト情報記憶手段のレイアウト情報に基づいて、前記閲覧情報の出力レイアウトを決定して前記閲覧情報を作成するようになっている。
このような構成であれば、請求項１記載の閲覧情報作成システムと同等の作用および効果が得られる。
さらに、本発明に係る請求項７記載のコンテンツ配信端末は、請求項６記載のコンテンツ配信端末において、前記ユーザ情報は、前記ユーザが閲覧を希望する閲覧情報に関する閲覧希望情報を含み、前記閲覧情報を複数記憶した閲覧情報記憶手段を備え、前記閲覧希望情報およびそれに対応するレイアウト情報を前記レイアウト情報記憶手段から読み出し、読み出した閲覧希望情報に基づいて、前記閲覧情報記憶手段のなかから前記閲覧情報を選択し、前記読み出したレイアウト情報に基づいて、前記選択した閲覧情報について出力レイアウトを決定して前記閲覧情報を作成するようになっている。
このような構成であれば、請求項２記載の閲覧情報作成システムと同等の作用および効果が得られる。
さらに、本発明に係る請求項８記載のコンテンツ配信端末は、ディジタルコンテンツを配信するコンテンツ配信端末において、前記ディジタルコンテンツの出力レイアウトに関するレイアウト情報を複数記憶したレイアウト情報記憶手段と、前記ディジタルコンテンツの配信先アドレスを含むユーザ情報および前記レイアウト情報の選択を入力する入力手段と、前記入力手段で入力したユーザ情報を前記入力手段で選択したレイアウト情報と対応付けて前記レイアウト情報記憶手段に登録する登録手段と、前記レイアウト情報記憶手段のレイアウト情報に基づいて前記ディジタルコンテンツの出力レイアウトを決定して前記ディジタルコンテンツを作成するコンテンツ作成手段と、前記コンテンツ作成手段で作成に用いたレイアウト情報に対応する配信先アドレスに基づいて前記コンテンツ作成手段で作成したディジタルコンテンツを配信するコンテンツ配信手段とを備える。
このような構成であれば、請求項３記載のディジタルコンテンツ配信システムと同等の作用および効果が得られる。
さらに、本発明に係る請求項９記載のコンテンツ配信端末は、請求項８記載のコンテンツ配信端末において、前記ユーザ情報は、前記ユーザが配信を希望するディジタルコンテンツに関するコンテンツ情報を含み、前記ディジタルコンテンツを複数記憶したコンテンツ記憶手段を備え、前記コンテンツ作成手段は、前記コンテンツ情報およびそれに対応するレイアウト情報を前記レイアウト情報記憶手段から読み出し、読み出したコンテンツ情報に基づいて、前記コンテンツ記憶手段のなかから前記ディジタルコンテンツを選択し、前記読み出したレイアウト情報に基づいて、前記選択したディジタルコンテンツについて出力レイアウトを決定して前記ディジタルコンテンツを作成するようになっている。
このような構成であれば、請求項４記載のディジタルコンテンツ配信システムと同等の作用および効果が得られる。
さらに、本発明に係る請求項１０記載のコンテンツ配信端末は、請求項８および９のいずれかに記載のコンテンツ配信端末において、前記ユーザ情報は、前記ユーザが配信を希望する時間帯に関するスケジュール情報を含み、前記コンテンツ配信手段は、前記コンテンツ作成手段で作成に用いたレイアウト情報に対応するスケジュール情報に基づいて、前記コンテンツ作成手段で作成したディジタルコンテンツを配信するようになっている。
このような構成であれば、請求項５記載のディジタルコンテンツ配信システムと同等の作用および効果が得られる。
【手続補正６】
【補正対象書類名】明細書
【補正対象項目名】００３６
【補正方法】変更
【補正の内容】
【００３６】
インターネット１９９には、図１に示すように、ディジタルコンテンツを提供する複数のコンテンツ提供端末Ｓ1 〜Ｓn と、コンテンツ提供端末Ｓ1 〜Ｓn から提供されたディジタルコンテンツを収集蓄積して配信するコンテンツ配信端末１００と、ユーザの利用に供するユーザ端末２００とが接続されている。なお、発明の理解を容易にするため、ユーザ端末２００を一台しか図示していないが、実際には、複数のユーザ端末がインターネット１９９に接続されている。
【手続補正７】
【補正対象書類名】明細書
【補正対象項目名】００８１
【補正方法】変更
【補正の内容】
【００８１】
コンテンツ配信端末１００では、配信開始要求を受信すると、ステップＳ１００〜Ｓ１２０を経て、これまでに受信したコンテンツの指定、ユーザＩＤ等および出力レイアウト等の指定がユーザプロファイルテーブル３００に登録される。このとき、コンテンツの指定は、カテゴリNo.対応テーブル３４０を参照してカテゴリNo.として登録され、出力レイアウトの指定は、レイアウトNo.対応テーブル３３０を参照してレイアウトNo.として登録される。
【手続補正８】
【補正対象書類名】明細書
【補正対象項目名】００８７
【補正方法】変更
【補正の内容】
【００８７】
さらに、本実施の形態では、コンテンツ配信端末１００は、ディジタルコンテンツを複数記憶したコンテンツ登録ＤＢ４２を備え、カテゴリNo.およびそれに対応するレイアウト定義ファイルをユーザ情報登録ＤＢ４０から読み出し、読み出したカテゴリNo.に基づいて、コンテンツ登録ＤＢ４２のなかからディジタルコンテンツを選択し、読み出したレイアウト定義ファイルに基づいて、選択したディジタルコンテンツについて出力レイアウトを決定してディジタルコンテンツを作成するようになっている。
【手続補正９】
【補正対象書類名】明細書
【補正対象項目名】００９１
【補正方法】変更
【補正の内容】
【００９１】
上記実施の形態において、ディジタルコンテンツは、請求項１または６記載の閲覧情報に対応し、レイアウト定義ファイルは、請求項１ないし１０記載のレイアウト情報に対応し、カテゴリNo.は、請求項４または９記載のコンテンツ情報に対応し、配信日および配信時刻は、請求項５または１０記載のスケジュール情報に対応している。また、ユーザ情報登録ＤＢ４０は、請求項１ないし４、または５ないし９記載のレイアウト情報記憶手段に対応し、ステップＳ１００〜Ｓ１１２は、請求項３または８記載の入力手段に対応し、ステップＳ１１４は、請求項３または８記載の登録手段に対応し、ステップＳ２１２は、請求項３ないし５、または８ないし１０記載のコンテンツ作成手段に対応し、ステップＳ２１６は、請求項３、５、８または１０記載のコンテンツ配信手段に対応している。
【手続補正１０】
【補正対象書類名】明細書
【補正対象項目名】０１００
【補正方法】変更
【補正の内容】
【０１００】
さらに、本発明に係る請求項５記載のディジタルコンテンツ配信システムによれば、ユーザの希望に比較的沿った時間帯にディジタルコンテンツが配信されるので、従来に比して、ユーザにとって満足度の高い配信サービスを提供することができるという効果も得られる。
一方、本発明に係る請求項６記載のコンテンツ配信端末によれば、請求項１記載の閲覧情報作成システムと同等の効果が得られる。
さらに、本発明に係る請求項７記載のコンテンツ配信端末によれば、請求項２記載の閲覧情報作成システムと同等の効果が得られる。
さらに、本発明に係る請求項８記載のコンテンツ配信端末によれば、請求項３記載のディジタルコンテンツ配信システムと同等の効果が得られる。
さらに、本発明に係る請求項９記載のコンテンツ配信端末によれば、請求項４記載のディジタルコンテンツ配信システムと同等の効果が得られる。
さらに、本発明に係る請求項１０記載のコンテンツ配信端末によれば、請求項５記載のディジタルコンテンツ配信システムと同等の効果が得られる。